(57)【要約】【課題】電話帳登録情報を変更又は削除した際に、通信履歴の交信相手を容易に把握できるようにし、併せて誤発信やメール誤送信を防止する。【解決手段】電話帳登録情報で変更又は削除などの編集をした場合に、未使用連絡先情報であることを意味するアイコンを関連付けることで、通信履歴上に連絡先氏名及び未使用連絡先であることを併せて表示させる。この通信履歴に対し、リダイヤルやコールバックなどの再交信を行う場合には、未使用連絡先であることを通知警告する。同時に新連絡先に対して通信を開始するか否かを選択させる。【選択図】図５
2008104003.tif 000002
【特許請求の範囲】
【請求項１】
交信相手先の１つ以上の電話番号及び１つ以上のメールアドレスの少なくとも一方を、交信相手先の名前情報と対応付けて登録する電話帳記憶部と、過去に交信した相手先の電話番号又はメールアドレスを通信履歴情報として記憶する通信履歴記憶部と、該通信履歴記憶部に記憶された交信相手先の電話番号又はメールアドレスをキーとして、前記電話帳記憶部から、過去に交信した相手先の名前情報を検索し、該検索によって得られた名前情報を通信履歴表示の名前情報表示欄に表示させる制御部とを備える通信端末装置において、
前記制御部は、電話帳記憶部に登録された交信相手先の電話番号又はメールアドレスが変更又は削除された旨を検出すると、該変更又は削除された電話番号又はメールアドレスを通信履歴情報から抽出し、該抽出された電話番号又はメールアドレスに対応する名前情報に代えて、所定の表示を前記通信履歴表示の名前情報表示欄に表示させることを特徴とする通信端末装置。
【請求項２】
前記制御部は、前記通信履歴表示から、過去の交信相手に対する交信指令に応答して交信を開始する機能を有し、且つ、通信履歴表示の名前表示欄に前記所定の表示がなされた通信履歴の連絡先を指定する交信指令が発生すると、該指定された連絡先について警告を発生する、請求項１に記載の通信端末装置。
【請求項３】
前記制御部は、前記変更又は削除された電話番号又はメールアドレスに代えて、新たな電話番号又はメールアドレスが前記電話帳記憶部に登録されると、前記通信履歴表示に、前記所定の表示に加えて、前記新たな電話番号又はメールアドレスにリンクさせた名前情報を表示させる、請求項２に記載の通信端末装置。
【請求項４】
前記制御部は、前記通信履歴表示画面から、前記変更又は削除された電話番号又はメールアドレスを指定した交信指令が発生すると、前記警告と同時に又は警告に後続して、前記新たな電話番号又はメールアドレスに宛てて交信を開始するか否かを選択する選択を促す表示を発生させる、請求項３に記載の通信端末装置。
【請求項５】
前記電話帳記憶部は、前記変更又は削除された電話番号又はメールアドレスに、前記所定の表示を示すアイコンを付して記憶し、前記制御部は、通信履歴表示に際して、通信履歴に含まれる電話番号又はメールアドレスをキーとして、電話帳記憶部から前記アイコンで指定された所定の表示を名前情報表示欄に表示する、請求項１〜４の何れか一に記載の通信端末装置。
【請求項６】
前記通信履歴記憶部では、前記変更又は削除された電話番号又はメールアドレスとして抽出された通信履歴に、前記所定の表示を行うためのアイコンが付されている、請求項１〜４の何れか一に記載の通信端末装置。
【請求項７】
コンピュータを用い、通信端末装置を制御する方法であって、
前記コンピュータが、交信相手先の１つ以上の電話番号及び１つ以上のメールアドレスの少なくとも一方を、交信相手先の名前情報と対応付けて電話帳記憶部に登録するステップと、
前記コンピュータが、過去に交信した相手先の電話番号又はメールアドレスを通信履歴情報として通信履歴記憶部に記憶するステップと、
前記コンピュータが、前記通信履歴記憶部に記憶された交信相手先の電話番号又はメールアドレスをキーとして、前記電話帳記憶部から、過去に交信した相手先の名前情報を検索し、該検索によって得られた名前情報を通信履歴表示の名前情報表示欄に表示させるステップと、
前記コンピュータが、前記電話帳記憶部に登録された交信相手先の電話番号又はメールアドレスが変更又は削除された旨を検出すると、該変更又は削除された電話番号又はメールアドレスを通信履歴情報から抽出し、該抽出された電話番号又はメールアドレスに対応する名前情報に代えて、所定の表示を前記通信履歴表示の名前情報表示欄に表示させるステップと
を有することを特徴とする通信端末装置の制御方法。
【請求項８】
通信端末装置に搭載されるコンピュータを制御するためのプログラムであって、前記コンピュータに、
交信相手先の１つ以上の電話番号及び１つ以上のメールアドレスの少なくとも一方を、交信相手先の名前情報と対応付けて電話帳記憶部に登録する処理と、
過去に交信した相手先の電話番号又はメールアドレスを通信履歴情報として通信履歴記憶部に記憶する処理と、
前記通信履歴記憶部に記憶された交信相手先の電話番号又はメールアドレスをキーとして、前記電話帳記憶部から、過去に交信した相手先の名前情報を検索し、該検索によって得られた名前情報を通信履歴表示の名前情報表示欄に表示させる処理と、
前記電話帳記憶部に登録された交信相手先の電話番号又はメールアドレスが変更又は削除された旨を検出すると、該変更又は削除された電話番号又はメールアドレスを通信履歴情報から抽出し、該抽出された電話番号又はメールアドレスに対応する名前情報に代えて、所定の表示を前記通信履歴表示の名前情報表示欄に表示させる処理と
を実行させることを特徴とするプログラム。
【発明の詳細な説明】
【技術分野】
【０００１】
本発明は、通信端末装置、その制御方法及びプログラムに関し、更に詳しくは、電話帳機能及び通信履歴表示機能を有する通信端末装置、その制御方法及びプログラムに関する。
【背景技術】
【０００２】
移動通信システムでは、近年、移動端末装置の機能の向上が著しい。特許文献１には、発着信者やメール送受信者など、通信システムを利用して交信を行う交信者の利便性向上や誤操作の低減を目的とし、通話の発信履歴や着信履歴、メールの送信履歴や受信履歴などの通信履歴を表示する技術が記載されている。また、特許文献２には、通信履歴情報と電話帳情報とを連携させ、通信履歴の表示画面から直接に通話の発信やメールの送信を行う技術が記載されている。以下、本明細書では、通話の発信及び着信、並びに、メールの送信及び着信を総称して交信（通信）と称し、その相手先を交信相手先（通信相手先）と呼ぶ。また、通話の際のコールバックやリダイアル、メールの再送信、返信、転送などを総称して再交信と呼ぶ。
【０００３】
一般に、通信履歴情報の表示には、当該交信が発生した日時情報や、交信相手先の電話番号情報、メールアドレス情報、及び、当該交信相手先情報として電話帳記憶部に記憶されている相手先名前情報などが表示される。交信を開始する端末使用者は、これら通信履歴情報を活用し、通信履歴情報を表示する表示画面から所定の操作を行うことにより、交信を開始することが出来る。
【０００４】
また、特許文献３には、電話帳機能のうち、電話番号情報やメールアドレス情報に付加する付加情報として、アイコンによるカテゴリを割り付ける旨が記載されている。更に、特許文献４には、電話帳情報を削除した際に、誤発信や誤送信の防止を目的として、通信履歴情報を削除する技術が記載されている。
【特許文献１】特開２００４−１８７０６７号公報
【特許文献２】特開２００３−２９８７２１号公報
【特許文献３】特許第３５４４４８２号公報
【特許文献４】特開２００４−１７９９１４号公報
【発明の開示】
【発明が解決しようとする課題】
【０００５】
従来の通信端末装置における電話帳情報や通信履歴情報を扱う技術では、以下の問題がある。第１の問題点は、電話帳情報のうち、電話番号情報やメールアドレス情報を変更又は削除した場合に、発信履歴、着信履歴、メール送信履歴、メール受信履歴などの通信履歴表示に際して、交信相手先を表示する表示欄に適切な交信相手先が表示できないことである。これは、以下の理由による。つまり、特許文献１や特許文献２に記載されている従来技術では、交信相手先の表示欄には、通信履歴情報における交信相手の電話番号やメールアドレスと、電話帳情報に登録されている電話番号やメールアドレスの登録情報とが一致する場合について、その登録情報中の名前情報を主として表示させている。このため、電話帳情報の電話番号又はメールアドレスが変更又は削除されると、電話帳情報中の登録情報と、履歴情報中の交信相手の電話番号やメールアドレスとの照合において、一致する情報がなくなってしまう。その結果として、通信網から通知された、又は、通信網へ送出した交信相手の電話番号やメールアドレスが、通信履歴の交信相手表示欄に表示され、交信相手先の判別が困難となる。
【０００６】
第２の問題点は、第１の問題点から派生するものであり、電話番号情報やメールアドレス情報を変更又は削除すると、端末使用者は、当該交信相手との通信履歴を見ても交信相手を判別することが困難になるため、誤発信や誤送信が生じ易いことである。つまり、通信網から通知された、又は、通信網へ送出した交信相手の電話番号やメールアドレスは、アルファベットや数字などの文字の羅列であるため、これらの情報から交信相手を判別することが困難であり、このため、誤発信やメール誤送信等の誤操作の恐れが出てくる。
【０００７】
第三の問題点は、上記問題点を回避するために、特許文献４に記載の技術を採用すると、電話帳情報を変更又は削除する際の手順が煩雑であることである。これは、該特許文献に記載の技術では、電話帳情報を削除した際には、端末使用者には、履歴情報の全てを削除するか、或いは、その内の一部を削除するかを選択して、その操作を行う手順が必須となるからである。
【０００８】
本発明の目的は、電話帳情報を変更又は削除した際にも、通信履歴表示から交信相手を容易に判別することができる通信履歴表示システムを有する通信端末装置を提供することにある。
【０００９】
本発明の他の目的は、電話帳情報を変更又は削除した際に、通信履歴表示の交信相手先の表示欄に、適切な交信相手情報を表示させることができる通信履歴表示システムを有する通信端末装置を提供することにある。
【００１０】
本発明のさらに他の目的は、電話帳情報を変更又は削除した際にも、上記目的を簡易な操作で実現させることができる電話帳機能及び通信履歴表示システムを有する通信端末装置を提供することにある。
【００１１】
本発明のさらに他の目的は、上記本発明の通信端末装置で使用される通信端末装置の制御方法及びプログラムを提供することにある。
【課題を解決するための手段】
【００１２】
上記目的を達成するために、本発明の通信端末装置は、交信相手先の１つ以上の電話番号及び１つ以上のメールアドレスの少なくとも一方を、交信相手先の名前情報と対応付けて登録する電話帳記憶部と、過去に交信した相手先の電話番号又はメールアドレスを通信履歴情報として記憶する通信履歴記憶部と、該通信履歴記憶部に記憶された交信相手先の電話番号又はメールアドレスをキーとして、前記電話帳記憶部から、過去に交信した相手先の名前情報を検索し、該検索によって得られた名前情報を通信履歴表示の名前情報表示欄に表示させる制御部とを備える通信端末装置において、
前記制御部は、電話帳記憶部に登録された交信相手先の電話番号又はメールアドレスが変更又は削除された旨を検出すると、該変更又は削除された電話番号又はメールアドレスを通信履歴情報から抽出し、該抽出された電話番号又はメールアドレスに対応する名前情報に代えて、所定の表示を前記通信履歴表示の名前情報表示欄に表示させることを特徴とする。
【００１３】
また、本発明の通信端末装置の制御方法は、コンピュータを用い、通信端末装置を制御する方法であって、
前記コンピュータが、交信相手先の１つ以上の電話番号及び１つ以上のメールアドレスの少なくとも一方を、交信相手先の名前情報と対応付けて電話帳記憶部に登録するステップと、
前記コンピュータが、過去に交信した相手先の電話番号又はメールアドレスを通信履歴情報として通信履歴記憶部に記憶するステップと、
前記コンピュータが、前記通信履歴記憶部に記憶された交信相手先の電話番号又はメールアドレスをキーとして、前記電話帳記憶部から、過去に交信した相手先の名前情報を検索し、該検索によって得られた名前情報を通信履歴表示の名前情報表示欄に表示させるステップと、
前記コンピュータが、電話帳記憶部に登録された交信相手先の電話番号又はメールアドレスが変更又は削除された旨を検出すると、該変更又は削除された電話番号又はメールアドレスを通信履歴情報から抽出し、該抽出された電話番号又はメールアドレスに対応する名前情報に代えて、所定の表示を前記通信履歴表示の名前情報表示欄に表示させるステップとを有することを特徴とする。
【００１４】
さらに、本発明のプログラムは、通信端末装置に搭載されるコンピュータを制御するためのプログラムであって、前記コンピュータに、
交信相手先の１つ以上の電話番号及び１つ以上のメールアドレスの少なくとも一方を、交信相手先の名前情報と対応付けて電話帳記憶部に登録する処理と、
過去に交信した相手先の電話番号又はメールアドレスを通信履歴情報として通信履歴記憶部に記憶する処理と、
前記通信履歴記憶部に記憶された交信相手先の電話番号又はメールアドレスをキーとして、前記電話帳記憶部から、過去に交信した相手先の名前情報を検索し、該検索によって得られた名前情報を通信履歴表示の名前情報表示欄に表示させる処理と、
電話帳記憶部に登録された交信相手先の電話番号又はメールアドレスが変更又は削除された旨を検出すると、該変更又は削除された電話番号又はメールアドレスを通信履歴情報から抽出し、該抽出された電話番号又はメールアドレスに対応する名前情報に代えて、所定の表示を前記通信履歴表示の名前情報表示欄に表示させる処理とを実行させることを特徴とする。
【発明の効果】
【００１５】
本発明の通信端末装置、その制御方法及びプログラムによると、電話番号又はメールアドレスが変更又は削除された際に、通信履歴のリスト中にその変更又は削除された電話番号又はメールアドレスを含む履歴が存在すると、その名前情報表示欄の表示を名前情報から所定の表示に変更するので、通信履歴のリストから再交信を行う場合に、誤発信や誤送信が防止できる。また、電話帳が誤って変更又は削除された場合にも、通信履歴自体は残されているので、誤って変更又は削除された電話番号又はメールアドレスの復活が、その残された情報から可能になる。
【００１６】
本発明では、前記制御部は、前記通信履歴表示から、過去の交信相手に対する交信指令に応答して交信を開始する機能を有し、且つ、通信履歴表示の名前表示欄に前記所定の表示がなされた通信履歴の連絡先を指定する交信指令が発生すると、該指定された連絡先について警告してもよい。この場合には、誤発信や誤送信がさらに効果的に防止できる。
【００１７】
本発明では、前記制御部は、前記変更又は削除された電話番号又はメールアドレスに代えて、新たな電話番号又はメールアドレスが前記電話帳記憶部に登録されると、前記通信履歴表示に、前記所定の表示に加えて、前記新たな電話番号又はメールアドレスにリンクさせた名前情報を表示させることが出来る。この場合、適切な名前情報の表示が可能になる。
【００１８】
本発明では、前記制御部は、前記通信履歴表示画面から、前記変更又は削除された電話番号又はメールアドレスを指定した交信指令が発生すると、前記警告と同時に又は警告に後続して、前記新たな電話番号又はメールアドレスに宛てて交信を開始するか否かの選択を促す表示を発生させてもよい。この場合、電話帳から電話番号又はメールアドレスが削除された交信相手先であっても、通信履歴から再交信の開始が可能になる。
【００１９】
本発明では、前記電話帳記憶部は、前記変更又は削除された電話番号又はメールアドレスに、前記所定の表示を示すアイコンを付して記憶し、前記制御部は、通信履歴表示に際して、通信履歴に含まれる電話番号又はメールアドレスをキーとして、電話帳記憶部から前記アイコンで指定された所定の表示を名前情報表示欄に表示してもよい。この場合には、制御部は、電話帳から電話番号又はメールアドレスが削除された交信相手先について、電話帳を参照して所定の表示が可能になる。
【００２０】
本発明では、前記通信履歴記憶部では、前記変更又は削除された電話番号又はメールアドレスとして抽出された通信履歴に、前記所定の表示を行うためのアイコンが付されているとしてもよい。この場合には、制御部は、電話帳から電話番号又はメールアドレスが削除された交信相手先について、通信履歴記憶部を参照して所定の表示が可能になる。
【発明を実施するための最良の形態】
【００２１】
次に、本発明の実施形態について図面を参照して詳細に説明する。図１は、本発明の一実施形態である通信端末装置の一例として、携帯電話端末装置本体の外観を示している。
【００２２】
携帯電話端末装置本体１は、開閉可能なヒンジ付き筐体として構成される。上側筐体には表示部（ディスプレイ）２が配設され、下側筐体には、キーボード３及び通信履歴表示キー６が配置される。キーボード３には、テンキー４と、発信キー、終話キー、電源キー等の機能キー５とが含まれる。キーボード３や通信履歴表示キー６を操作することにより、表示部２には、電話番号やメールなどのキー入力情報、通信履歴や電話帳登録情報、電話番号やメールアドレスに割り当てられたカテゴリを表すアイコンなど記憶部に記憶されている情報や、その他の情報が表示される。
【００２３】
図２は、図１で示した携帯電話端末装置をブロック図で示している。キー操作部１１は、キーボード３及び通信履歴表示キー６を含み、発信時の電話番号入力や、電話帳登録時などの文字列入力などの入力、及び電話帳登録や電話帳検索、通信履歴表示などの制御指示を行う機能を有する。制御部１２は、キー操作部１１からの入力指示、制御指示などにより、記憶部１３への情報記憶、記憶部１３に記憶されている情報の呼出し、表示部１４への情報表示などを制御する機能を有する。記憶部１３は、制御部１２からの情報記憶制御により情報を記憶し、情報呼出し制御により記憶されている情報を呼び出す機能を有する。表示部１４は、制御部１２からの表示制御により、所望の情報を表示する機能を有する。
【００２４】
記憶部１３には、電話帳情報が記憶されており、電話帳情報には、氏名、電話番号、メールアドレス、及び電話番号やメールアドレスに対して割り振るカテゴリをあらわすアイコンなどが記憶されている。各氏名には、１つ以上の電話番号、及び、１つ以上のメールアドレスを記憶させることができ、自宅、個人用、会社用などのカテゴリを表すアイコンを、各電話番号やメールアドレスに関連付けさせて記憶する機能を持つ。
【００２５】
図３は、図２で示した記憶部１３の構成を示すブロック図である。電話帳記憶部２１は、氏名、読み仮名、略称、愛称など、交信相手先が容易に判断できるような任意の名前情報と、１つ又は複数の電話番号情報及び１つ又は複数のメールアドレス情報を含む、交信相手先の連絡先情報と、これら個々の連絡先に対して関連付けられたカテゴリを表すアイコン情報とを記憶する。発信履歴記憶部２２は、端末使用者が過去に通話を発信した履歴を記憶する。これには発信先電話番号情報と、制御部１２に備わっているカレンダー機能及び時計機能によって付加された、発信した日付情報及び時間情報とが含まれている。着信履歴記憶部２３には、過去に着信した通話履歴を記憶する。これには発信履歴と同様に、着信した発信者の電話番号情報と、着信した日付情報及び時間情報とが含まれている。メール送信履歴記憶部２４には、端末使用者が過去にメールを送信した履歴を記憶する。これには送信先のメールアドレス情報と、制御部１２に備わっているカレンダー機能及び時計機能によって付加された、メール送信した日付情報及び時間情報とが含まれている。メール受信履歴記憶部２５には、メール送信履歴と同様に、メール受信したメールの送信者メールアドレス情報と、メール受信した日付情報及び時間情報とが含まれている。なお、本発明の実施形態においては、メール送信履歴記憶部２４とメール受信履歴記憶部２５に、送受信したメールのタイトルや本文、添付データなどの情報が含まれていてもよく、或いは、含まれていなくともよい。
【００２６】
図４は、上記通信端末装置で端末使用者が行う操作を示している。端末使用者は、キー操作部１１の操作により、記憶部１３に登録されている電話帳情報のうち、電話番号情報やメールアドレス情報の変更又は削除に相当する編集をする（操作１００）。その後、通信履歴情報を利用して通話を開始するため、通信履歴表示キー６の操作により、発信履歴又は着信履歴を、発信履歴記憶部２２又は着信履歴記憶部２３から呼び出し、表示部２に表示させる（操作１０１）。さらに、機能キー５の操作により、表示されている発信履歴からのリダイヤル操作又は着信履歴からのコールバック操作を行う（操作１０２）。また、操作１００において、電話帳情報のうち、メールアドレス情報を変更又は削除に相当する編集をした後、メール送信を開始するため、メール送信履歴又はメール着信履歴を、メール送信履歴記憶部２４又はメール受信履歴記憶部２５から呼び出し、表示部２に表示させる（操作１０３）。さらにメール送信履歴からの再送信操作もしくは再編集操作、又はメール受信履歴からの返信操作を行う（操作１０４）。
【００２７】
図５は、図４の操作１００における、制御部１２の処理を示すフローチャートである。まず、端末使用者は、所定のキー操作を行うことにより、電話帳情報を表示部２に表示させる（ステップ２０１）。ステップ２０２では、端末使用者が、電話番号情報や、メールアドレス情報などの電話帳登録内容を変更する指令を行ったか否か調べる。変更の指令である場合には、その旨の処理を行う（ステップ２０３）。制御部１２は、このとき、電話帳の旧情報に対して既に割り付けられているカテゴリから、新たに未使用情報であることを意味する未使用カテゴリを割り付け、当該情報を未使用連絡先情報として残すかどうかを端末使用者が選択するように促す。ステップ２０４で、端末使用者が、当該情報を未使用連絡先情報として残す選択をした場合には、電話帳の旧情報に対し未使用カテゴリを意味するアイコンを関連付ける（ステップ２０５）。さらにこの内容で、電話帳情報を更新し、記憶部１３に記憶させる（ステップ２０６）。ステップ２０４において、旧情報を残さない旨が選択された場合には、ステップ２０６において、旧情報を削除した状態で電話帳情報を更新し、記憶部１３に記憶させる。ステップ２０２において、電話帳登録内容を削除する場合には、ステップ２０７に進み、登録情報削除の処理を行い（ステップ２０８）、ステップ２０４に進む。ステップ２０７において、電話帳登録内容を削除しない選択がなされた場合には、制御部１２はそのまま処理を終了する。
【００２８】
図６は、図４の操作１０１及び操作１０２における制御部１２の処理を示す。まず、端末使用者は、通信履歴表示キー６の操作により、発信履歴又は着信履歴を表示部２に表示させる（ステップ３０１）。このとき、操作１００で未使用カテゴリを意味するアイコンが関連付けられた旧電話番号が残され、その旧番号との通信履歴が通信履歴のリスト中に存在する場合には、当該通信履歴表示には、交信相手の氏名情報のほか、現在未使用連絡先である旨を表示する(ステップ３０２)。当該通信履歴に対し、リダイヤル操作又はコールバック操作が行われると（ステップ３０３）、制御部１２は、当該連絡先が現在未使用の連絡先であることを警告する旨の表示を表示部２に表示させる（ステップ３０４）。同時に、当該連絡相手のそのほかの連絡先、例えば新しい連絡先に対し発信をするかどうかの選択を促す。ステップ３０５で、当該交信相手先のそのほかの連絡先に対して発信をする旨が選択されると、制御部１２は、当該交信相手の電話帳登録情報のうち電話番号情報を電話帳記憶部２１より呼び出し、表示部２に表示させる（ステップ３０６）。このとき、１つ又は複数の電話番号情報が表示され、これらのうち１つを選択し、この選択した電話番号を交信先として通話を発信する（ステップ３０７）。ステップ３０５において、当該交信相手のそのほかの連絡先に対して発信をしない旨の選択がなされると、さらに、未使用の連絡先に対して発信するか否かの選択を促す。ステップ３０８において、現在未使用の連絡先への発信が選択されると、制御部１２は、現在未使用の連絡先に対して発信処理を行う。ステップ３０８において、現在未使用の連絡先に発信をしない場合、制御部１２は、処理を終了する。
【００２９】
図７は、図４の操作１０３及び操作１０４における、制御部１２の処理を示すフローチャートである。まず、端末使用者は、所定のキー操作により、メール送信履歴又はメール受信履歴を、メール送信履歴記憶部２４又はメール受信履歴記憶部２５から呼出し、表示部２に表示させる（ステップ４０１）。このとき、操作１００において未使用カテゴリを意味するアイコンが関連付けられた旧メールアドレスとの通信履歴が通信履歴のリスト中に残された場合には、当該通信履歴の交信相手の表示欄には、交信相手の氏名情報のほか、現在未使用の連絡先である旨を表示する（ステップ４０２）。ステップ４０３で、当該通信履歴に対し、メールの再送信操作、返信操作、又は、再編集操作を行う旨の選択がなされると、制御部１２は、当該メールアドレスが現在未使用の連絡先である旨を警告する表示を表示部２に表示させる（ステップ４０４）。同時に、当該連絡相手のそのほかのメールアドレスに対し、当該操作を行うかどうかの選択を促す。ステップ４０５で、当該連絡相手のそのほかのメールアドレスに対して当該操作を行う旨が選択されると、制御部１２は、当該交信相手の電話帳登録情報のうちメールアドレス情報を電話帳記憶部２１より呼び出し、表示部２に表示させる（ステップ４０６）。このとき、１つ又は複数のメールアドレス情報が表示され、端末使用者は、これらのうち１つを選択し、当該操作のあて先メールアドレスに、選択したメールアドレスを割り当ててメールを送信する処理を行い、制御部１２はそれに従ってメール送信処理を行なう（ステップ４０７）。ステップ４０５において、当該連絡相手のそのほかのメールアドレスに対して当該操作をしない選択がなされると、現在未使用メールアドレスに対して当該操作をするかどうかの選択が促される。ステップ４０８で、現在未使用メールアドレスに対して当該操作をすることが選択されると、制御部１２は、現在未使用メールアドレスを、当該操作のあて先メールアドレスに割り当てる。ステップ４０８において、現在未使用のメールアドレスに当該操作をしない選択がなされると、制御部１２は、処理を終了する。未使用連絡先への操作は、主として、誤って変更または削除した電話番号又はメールアドレスの復活を目的として行われる。
【００３０】
上記実施形態では、携帯電話端末装置を例に挙げて説明したが、本発明の通信端末装置は、これに限定されるものではなく、電話帳情報記憶機能及び通信履歴記憶機能を有する通信端末装置であればよい。例えば、音声通信専用端末やメール通信専用端末などにおいても、本発明は同様に適用可能である。
【００３１】
また、ステップ２０４において、旧連絡先情報を未使用データとして残さないという選択をすることを禁止することも可能である。この場合、未使用連絡先は未使用連絡先として確実に記憶しておくことで、誤操作などによる削除などに対応可能である。
【００３２】
さらに、ステップ３０５において、未使用連絡先に対する発信操作を禁止することにより、またステップ４０５において、未使用連絡先に対するメール送信操作を禁止することも可能である。この場合、誤発信やメール誤送信をより確実に防止できる。
【００３３】
従来技術では、電話帳登録情報の変更又は削除などの編集をした場合には、その交信相手との通信履歴を参照しても、電話番号そのものや、メールアドレスそのものが交信相手として表示されるため、当該通信履歴の交信を把握することが困難であった。しかし、上記実施形態の構成により、電話帳登録情報の変更又は削除に相当する電話帳情報の編集をした場合においても、当該交信相手との通信履歴を参照したときに、本来の交信先氏名など容易に交信相手を把握することができる交信相手の表示が行われ、交信相手を容易に確認することができる。
【００３４】
また、通信履歴情報を利用した通信開始操作、つまり、発信履歴情報からのリダイヤル操作、着信履歴情報からのコールバック操作、メール送信履歴情報からの再送信や再編集操作、メール受信履歴情報からの返信操作において、通信履歴の交信相手表示欄に、本来の交信先氏名など容易に交信相手を把握することのできる表示をし、且つ、現在未使用である連絡先であることを意図的に表示し、また、警告表示により、電話の誤発信やメールの誤送信などの誤操作を防止するように注意喚起が可能となる。
【００３５】
さらに、上記実施形態では、電話帳情報に対して、所定の表示を示すアイコンを付加する例を示したが、このアイコンは、通信履歴のリスト中の削除された電話番号又はメールアドレスに付加してもよい。
【００３６】
以上、本発明を好適な実施態様に基いて説明をしたが、本発明は、これらの態様には限定されず、種々の変更又は修正が可能である。
【図面の簡単な説明】
【００３７】
【図１】本発明の一実施形態に係る携帯電話端末装置の概観図。
【図２】図１の携帯電話端末装置のブロック図。
【図３】図２の携帯電話端末装置の記憶部のブロック図。
【図４】図１の携帯電話端末装置の操作の態様を示すフローチャート。
【図５】図１の携帯電話端末装置の制御部における電話帳編集処理を示すフローチャート。
【図６】図１の携帯電話端末装置の制御部における電話通信履歴情報を利用した発信処理を示すフローチャート。
【図７】図１の携帯電話端末装置の制御部におけるメール通信履歴情報を利用したメール送信処理を示すフローチャート。
【符号の説明】
【００３８】
１  携帯電話端末装置本体
２  表示部
３  キーボード
４  テンキー
５  機能キー
６  通信履歴表示キー
１１  キー操作部
１２  制御部
１３  記憶部
１４  表示部
２１  電話帳記憶部
２２  発信履歴記憶部
２３  着信履歴記憶部
２４  メール送信履歴記憶部
２５  メール受信履歴記憶部
【図１】
2008104003.tif 000003
【図２】
2008104003.tif 000004
【図３】
2008104003.tif 000005
【図４】
2008104003.tif 000006
【図５】
2008104003.tif 000007
【図６】
2008104003.tif 000008
【図７】
2008104003.tif 000009